(57)【要約】【課題】  中空コラム内に対するものの落下を有効に防止する水中ポンプ吊下げ部材の上部支持装置を提供する。【解決手段】  水中ポンプ５に連結された吊下げチェーン８や吊り棒９を用いて中空コラム４内に水中ポンプ５を上げ下ろしする。中空コラム４の上端部に、その上端部開口４ａを開閉自在に閉塞するコラム蓋７が備えられる。吊り棒９がコラム蓋７に形成された孔部を貫通した状態で配置されると共に、コラム蓋７の上側に、貫通した吊り棒９の雄ネジ部９ｂに螺合してコラム蓋７下側の吊り棒９の長さを調整可能なナット部材１３が備えられている。【選択図】    図１
2009013920.tif 000002
【特許請求の範囲】
【請求項１】
水中ポンプに連結された吊下げ部材を用いて中空コラム内に水中ポンプを上げ下ろしする水中ポンプ吊下げ部材の上部支持装置において、
前記中空コラムの上端部に、その上端部開口を開閉自在に閉塞するコラム蓋が備えられ、
前記吊下げ部材の上部が、コラム蓋に形成された孔部を貫通した状態で配置されると共に、コラム蓋の上側に、前記貫通した吊下げ部材に連結されてコラム蓋下側の吊下げ部材の長さを調整可能な長さ調整手段が備えられていることを特徴とする水中ポンプ吊下げ部材の上部支持装置。
【請求項２】
請求項１に記載の水中ポンプ吊下げ部材の上部支持装置において、
前記吊下げ部材の上部に、棒材からなる吊り棒が備えられ、該吊り棒が前記コラム蓋に形成された前記孔部を貫通した状態で配置されると共に、吊り棒に形成された雄ネジ部がコラム蓋の上側に配設されたナット部材の雌ネジ部に進退自在に螺合され、この螺合状態で前記ナット部材を正逆回動操作することにより、コラム蓋下側の吊下げ部材の長さが調整可能とされていることを特徴とする水中ポンプ吊下げ部材の上部支持装置。
【請求項３】
請求項２に記載の水中ポンプ吊下げ部材の上部支持装置において、
前記吊り棒は、その上部と下部にそれぞれ前記雄ネジ部が形成され、それら雄ネジ部間の中間部が前記前記ナット部材の前記雌ネジ部内を遊挿自在な細径軸部とされていることを特徴とする水中ポンプ吊下げ部材の上部支持装置。
【請求項４】
請求項２または請求項３に記載の水中ポンプ吊下げ部材の上部支持装置において、
前記吊り棒が、上下方向に対して複数に分離結合自在とされていることを特徴とする水中ポンプ吊下げ部材の上部支持装置。
【発明の詳細な説明】
【技術分野】
【０００１】
本発明は、中空コラム内に水中ポンプを上げ下ろしする際に使用される吊下げ部材を所望の状態で支持しておくための水中ポンプ吊下げ部材の上部支持装置に関するものである。
【背景技術】
【０００２】
従来、コラム式の水中ポンプ装置においては、水中ポンプに連結された吊下げ用チェーンを用いて、中空コラム内に水中ポンプを下ろして据え付け配置したり、保守点検等のメンテナンス時に水中ポンプを引き上げたりしていた。
【０００３】
そして、水中ポンプの使用時には、前記吊下げ用チェーンの上部を中空コラムの上部内壁部に設けられた固定具に係止させたり、コラム上端開口部の外周フランジ部と蓋体との間に介装された支持棒に連結する支持構造のものがあった（例えば、特許文献１や特許文献２参照。）。
【０００４】
また、吊下げ用チェーンの代わりに、ワイヤや棒材を用いた構造のものもあった（例えば、特許文献３や特許文献４参照。）。
【０００５】
【特許文献１】実開平６−１２７９２号公報
【特許文献２】特開２００４−１９６５２５号公報
【特許文献３】特開２００１−１７７９６３号公報
【特許文献４】実開平３−２３６９２号公報
【発明の開示】
【発明が解決しようとする課題】
【０００６】
しかしながら、上記各特許文献に開示の構造によれば、メンテナンス時等においては、中空コラムの蓋を取り外した状態で、吊下げ用チェーン等の吊下げ部材の上部を固定具等から外してクレーン等で吊上げて、中空コラム内から水中ポンプを取り出し、メンテナンス後等において、水中ポンプを再度、中空コラム内に据え付け配置して、吊下げ部材の上部を固定具等に固定して支持し、その後、蓋を装着する方法であった。また、チェーンやワイヤ等の吊下げ部材によっては、たるみを除去して、水中ポンプの作動時の水流による踊りを防止すべく、長さ調整をしておく必要もあった。
【０００７】
以上のように、蓋を外した状態で、吊下げ部材の上部を固定具等に着脱したり、長さ調整する必要があるため、作業工具等を中空コラム内に誤って落下させるおそれがあった。また、吊下げ用チェーンや吊下げ用ワイヤを用いた構造においては、吊下げ用チェーンや吊下げ用ワイヤ自体を中空コラム内に落下させるおそれがあった。
【０００８】
そして、これらの落下により、水中ポンプの損傷を招くおそれもあった。
【０００９】
そこで、本発明はこれらの問題点に鑑み、中空コラム内に対するものの落下を有効に防止する水中ポンプ吊下げ部材の上部支持装置を提供することを目的とする。
【課題を解決するための手段】
【００１０】
上記課題を解決するための技術的手段は、水中ポンプに連結された吊下げ部材を用いて中空コラム内に水中ポンプを上げ下ろしする水中ポンプ吊下げ部材の上部支持装置において、前記中空コラムの上端部に、その上端部開口を開閉自在に閉塞するコラム蓋が備えられ、前記吊下げ部材の上部が、コラム蓋に形成された孔部を貫通した状態で配置されると共に、コラム蓋の上側に、前記貫通した吊下げ部材に連結されてコラム蓋下側の吊下げ部材の長さを調整可能な長さ調整手段が備えられている点にある。
【００１１】
また、前記吊下げ部材の上部に、棒材からなる吊り棒が備えられ、該吊り棒が前記コラム蓋に形成された前記孔部を貫通した状態で配置されると共に、吊り棒に形成された雄ネジ部がコラム蓋の上側に配設されたナット部材の雌ネジ部に進退自在に螺合され、この螺合状態で前記ナット部材を正逆回動操作することにより、コラム蓋下側の吊下げ部材の長さが調整可能とされている構造としてもよい。
【００１２】
さらに、前記吊り棒は、その上部と下部にそれぞれ前記雄ネジ部が形成され、それら雄ネジ部間の中間部が前記前記ナット部材の前記雌ネジ部内を遊挿自在な細径軸部とされている構造としてもよい。
【００１３】
また、前記吊り棒が、上下方向に対して複数に分離結合自在とされている構造としてもよい。
【発明の効果】
【００１４】
以上のように、本発明の水中ポンプ吊下げ部材の上部支持装置によれば、中空コラムの上端部に、その上端部開口を開閉自在に閉塞するコラム蓋が備えられ、吊下げ部材の上部が、コラム蓋に形成された孔部を貫通した状態で配置されると共に、コラム蓋の上側に、前記貫通した吊下げ部材に連結されてコラム蓋下側の吊下げ部材の長さを調整可能な長さ調整手段が備えられている構造とされているため、メンテナンス時等において、中空コラム内から水中ポンプを取り出す際には、コラム蓋と共に水中ポンプを吊上げて取り出し、水中ポンプを中空コラム内に据え付け配置する際には、コラム蓋と共に水中ポンプを吊上げて戻し、中空コラムの上端部開口をコラム蓋で閉塞した状態で、長さ調整手段により吊下げ部材の長さを調整でき、中空コラム内に対するものの落下を有効に防止することができ、安全性にも優れる利点がある。
【００１５】
また、吊下げ部材の上部に、棒材からなる吊り棒が備えられ、該吊り棒がコラム蓋に形成された孔部を貫通した状態で配置されると共に、吊り棒に形成された雄ネジ部がコラム蓋の上側に配設されたナット部材の雌ネジ部に進退自在に螺合され、この螺合状態でナット部材を正逆回動操作することにより、コラム蓋下側の吊下げ部材の長さが調整可能とされている構造とすれば、吊下げ部材の長さ調整が外部のナット部材の回動操作により容易に行え、その吊下げ部材の長さ調整も無段階的に調整できるため、最適な長さに調整できる利点がある。
【００１６】
さらに、吊り棒は、その上部と下部にそれぞれ雄ネジ部が形成され、それら雄ネジ部間の中間部が前記ナット部材の雌ネジ部内を遊挿自在な細径軸部とされている構造とすれば、吊下げ部材の長さ調整に際して、中間部の細径軸部部分は雌ネジ部と係合しないため、引き上げるだけでよく、長さ調整の迅速化が図れる利点がある。
【００１７】
また、吊り棒が、上下方向に対して複数に分離結合自在とされている構造とすれば、吊下げ部材の弛みを除去した踊り防止状態において、コラム蓋の上方に突出する吊り棒を分離することにより、突出長さを少なくすることができる。
【発明を実施するための最良の形態】
【００１８】
以下、本発明の実施形態を図面に基づいて説明すると、図１に示される如く、コラム式水中ポンプ装置１は、取水槽２等の上壁３に垂下状に設置された円筒状の中空コラム４と、該中空コラム４の下端部に支架された水中ポンプ５とを備えた構造とされている。
【００１９】
また、上壁３上方に位置する中空コラム４の上端部一側には、径方向に指向して突出する吐出口６が備えられ、該吐出口６に排水管等が着脱自在に連結される構造とされている。
【００２０】
中空コラム４の上端部には、その上端部開口４ａを開閉自在に閉塞するコラム蓋７が備えられており、相互間をシールすべく、中空コラム４のフランジ部４ｂとの相互間に適宜パッキン材等を介して、互いにボルト・ナットにより着脱自在に締結される構造とされている。
【００２１】
水中ポンプ５の上部には、上げ下ろしするための吊下げ部材としての吊下げチェーン８が連結されると共に、吊下げチェーン８の上部に、棒材からなる吊り棒９が連結されている。そして、図２ないし図６にも示されるように、コラム蓋７の中心部に形成された孔部７ａを貫通した状態で、前記吊り棒９が配置される構造とされている。
【００２２】
コラム蓋７の孔部７ａ部分に対応する上面側には、シールワッシャ１１、ワッシャ１２を介してフランジ付きナット部材１３が配置され、ナット部材１３の下端部に備えられたフランジ部１３ａを覆って保持ブラケット１４が、コラム蓋７にボルト・ナット等による締結によって着脱自在に取り付けられている。そして、この保持ブラケット１４によってナット部材１３がコラム蓋７に回動操作自在に保持された構造とされている。
【００２３】
前記吊り棒９は、その上部と下部に、前記ナット部材１３の雌ネジ部に進退自在に螺合される雄ネジ部９ａ，９ｂが形成され、それら両雄ネジ部９ａ，９ｂ間の中間部は、ナット部材１３の雌ネジ部内を遊挿自在な適宜外径を有する細径軸部９ｃとされている。また、吊り棒９の上下両端部には、リング状の吊り具９ｄ，９ｅが備えられている。
【００２４】
そして、本実施形態においては、図６に示されるように、吊り棒９が、上側の吊り具９ｄと、上側の雄ネジ部９ａを有する雄ネジ軸９ｆと、細径軸部９ｃと、下側の雄ネジ部９ｂを有する雄ネジ軸９ｇと、下側の吊り具９ｅとの５部材に分離結合自在に構成されている。
【００２５】
即ち、上側の吊り具９ｄに備えられた雌ネジ孔９ｈに、雄ネジ軸９ｆの雄ネジ部９ａ上端部が螺合により締結自在に構成されている。また、雄ネジ軸９ｆの下端面に形成された雌ネジ孔９ｊに、細径軸部９ｃの上端面に突設された雄ネジ軸９ｋが螺合により締結自在に構成されている。さらに、細径軸部９ｃの下端面に形成された雌ネジ孔９ｍに、雄ネジ軸９ｇの上端面に突設された雄ネジ軸９ｎが螺合により締結自在に構成されている。そして、雄ネジ軸９ｇの雄ネジ部９ｂ下端部が、下側の吊り具９ｅに備えられた雌ネジ孔に、上側の吊り具９ｄの場合と同様、螺合により締結自在に構成されている。
【００２６】
この吊り棒９の下側の吊り具９ｅと吊下げチェーン８の上端部とが締結機構としてのシャックル１５を介して着脱自在に連結されている。
【００２７】
なお、図１において、１６は水中ポンプ５に対する電源供給や制御用のケーブルである。また、吊り棒９における下側の雄ネジ軸９ｇは、上側の雄ネジ軸９ｆに比較して長尺とされた所望長さに形成されている。
【００２８】
本実施形態は以上のように構成されており、水中ポンプ５の据え付けに際しては、図１や図２に示されるように、吊り棒９がコラム蓋７の孔部７ａを介して貫通状態とされると共に、吊り棒９における上側の雄ネジ軸９ｆの雄ネジ部９ａがナット部材１３の雌ネジ部に螺合した状態で、上側の吊り具９ｄに連結されたワイヤ等を介してクレーンで吊上げられた水中ポンプ５を、中空コラム４内に順次下ろしていく。この際、図１に示されるように、コラム蓋７は吊り棒９に連結された状態となっており、コラム蓋７も吊上げられている。
【００２９】
そして、図１に示されるように、中空コラム４の底部に水中ポンプ５が到着し、さらに下ろし操作していけば、図２に示されるように、コラム蓋７が中空コラム４のフランジ部４ｂ位置に到着する。なお、フランジ部４ｂ上には予め、パッキン材等が配置されている。この状態で、コラム蓋７とフランジ部４ｂとを互いにボルト・ナットにより締結する。
【００３０】
次に、吊り棒９、即ち、雄ネジ軸９ｆが上方に移動するように、ナット部材１３を工具等により例えば正転方向に回動操作する。そして、図３に示されるように、ナット部材１３の上方に雄ネジ軸９ｆが押し出された状態となった段階で、クレーンにより吊り具９ｄを引き上げ操作すれば、細径軸部９ｃはナット部材１３の雌ネジ部に対して遊挿状態であるため、図４に示されるように、下側の雄ネジ軸９ｇがナット部材１３に当接した状態が得られる。なお、この際、吊下げチェーン８はまだ張った状態とならないように、吊下げチェーン８や吊り棒９のそれぞれの長さ適宜設定されている。
【００３１】
そしてこの状態において、吊り棒９が上方に移動するように、前記と同様、正転方向にナット部材１３を回動操作する。この回動操作によって、雄ネジ軸９ｇの雄ネジ部９ｂとナット部材１３の雌ネジ部との螺合が得られ、さらに、ナット部材１３を回動操作していけば、図５に示されるように、雄ネジ軸９ｇがコラム蓋７の下側に一部露出した状態で、吊下げチェーン８が張った状態となる。ここに、ナット部材１３は、コラム蓋７下側の吊下げチェーン８や吊り棒９からなる吊下げ部材の長さを調整可能な長さ調整手段を構成する。なお、このナット部材１３の回動操作により雄ネジ軸９ｇが上方に移動する範囲内で吊下げチェーン８が張った状態となるように、吊下げチェーン８の長さや雄ネジ軸９ｇの長さが適宜調整されている。
【００３２】
この吊下げチェーン８が張った状態となった段階で、図６に示されるように、細径軸部９ｃを下側の雄ネジ軸９ｇから分離し、雄ネジ軸９ｇの上部からロックナット１７を螺合締結させておけば、水中ポンプ５の据え付け配置が終了する。ここに、吊下げ部材は吊り棒９の雄ネジ軸９ｇにおける雄ネジ部９ｂとナット部材１３の雌ネジ部との螺合状態により、有効に支持され、ロックナット１７によりその弛みが有効に防止される。
【００３３】
次に、保守点検等のメンテナンス時に水中ポンプ５を中空コラム４から引き上げる場合には、前述と逆に、ロックナット１７を雄ネジ軸９ｇから離脱し、雄ネジ軸９ｇに細径軸部９ｃを連結する。この際、雄ネジ軸９ｆや吊り具９ｄも分離していれば、それらも連結し、初期の吊り棒９の結合状態に戻す。
【００３４】
この状態で、吊り棒９が下方に移動するように、前記と逆の逆転方向にナット部材１３を回動操作する。この回動操作によって、雄ネジ軸９ｇが下降していき、ナット部材１３の雌ネジ部から離脱すると、連結されている吊下げチェーン８等の自重により、さらに吊り棒９が下方に移動され、図３に示されるような雄ネジ軸９ｆの雄ネジ部９ａが、ナット部材１３の雌ネジ部に当接した状態が得られる。
【００３５】
そしてこの状態において、吊り棒９が下方に移動するように、ナット部材１３を逆転方向にさらに回動操作すれば、雄ネジ軸９ｆの雄ネジ部９ａとナット部材１３の雌ネジ部との螺合が得られ、さらに、ナット部材１３を回動操作していけば、図２に示されるように、吊り具９ｄがナット部材１３の上面に当接した状態が得られる。
【００３６】
この状態で、フランジ部４ｂにコラム蓋７を締結しているボルト・ナットを緩めて取り外し、コラム蓋７の締結を解除する。そして、吊り具９ｄにクレーンのワイヤ等を連結し、水中ポンプ５を引き上げ、中空コラム４内より水中ポンプ５を取り出せばよい。
【００３７】
以上のように、本実施形態によれば、メンテナンス時等において、中空コラム４内から水中ポンプ５を取り出す際には、コラム蓋７と共に水中ポンプ５を吊上げて取り出し、水中ポンプ５を中空コラム４内に据え付け配置する際には、コラム蓋７と共に水中ポンプ５を吊上げて戻し、中空コラム４の上端部開口４ａをコラム蓋７で閉塞した状態で、ナット部材１３を正逆回動操作すること等によりコラム蓋７下側の吊り棒９や吊下げチェーン８等から構成される吊下げ部材の長さを所望の長さに調整する方式であり、中空コラム４内に対するもの等の落下を有効に防止することができ、安全性に優れる利点がある。
【００３８】
また、コラム蓋７下側の吊下げ部材の長さ調整も、コラム蓋７上面側の外部に配置されたナット部材１３の回動操作により容易に行えると共に、その長さ調整も無段階的に調整できるため、いわゆる所望に張った踊り防止状態の最適な長さに調整できる利点がある。
【００３９】
さらに、吊り棒９は、上下の雄ネジ軸９ｆと雄ネジ軸９ｇとの間に細径軸部９ｃを備えているため、吊下げ部材の長さ調整に際して、中間部の細径軸部９ｃ部分はナット部材１３の雌ネジ部と係合しないため、引き上げるだけでよく、全長にわたって雄ネジ部が形成されている場合と比較して、長さ調整の迅速化が図れる利点がある。
【００４０】
また、吊り棒９が上下方向に対して複数に分離結合自在とされているため、水中ポンプ５の据え付け配置された状態においては、コラム蓋７の上部に突出する吊り棒９の不要部分を分離しておくことにより、コラム蓋７の上方に突出する突出長さをより少なくすることができ、他のものとの干渉を有効に回避できる。
【００４１】
さらに、水中ポンプ５の据え付け配置された状態においては、吊下げチェーン８の重量や張り力がナット部材１３に作用するため、孔部７ａはシールワッシャ１１によって有効にシールされる。
【００４２】
なお、上記実施形態において、吊り棒９の雄ネジ部９ａ，９ｂとナット部材１３の雌ネジ部との進退自在な螺合により吊下げ部材の張りを調整する構造を示しているが、吊り棒９が雄ネジ部を有さず、上下方向に離隔して多数の調整孔が形成された棒材とされ、ナット部材１３は雌ネジ部を有さず、位置決め孔が形成された支持筒体とし、吊り棒９の選択された調整孔と支持筒体の位置決め孔とにまたがって位置決めピンを挿脱自在に装着することにより、コラム蓋７下側の吊下げ部材の長さを調整する構造としてもよい。
【００４３】
また、吊り棒９が５部材からなる構造とされているが、少なくとも雄ネジ軸９ｇと細径軸部９ｃとの相互間で分離結合される構造であれば、上記同様の分離による効果が得られる。
【００４４】
さらに、吊下げ部材として吊下げチェーン８と吊り棒９を備えた構造を示しているが、吊下げ部材としてワイヤを使用し、コラム蓋７の孔部７ａを貫通した部分のワイヤをコラム蓋７上面側に装着された長さ調整手段としてのウインチ等で、巻き取り・巻き戻しすることにより、コラム蓋７下側の吊下げ用のワイヤの長さ調整を行う構造であってもよく、長さ調整手段は実施形態の構造に何ら限定されない。
【図面の簡単な説明】
【００４５】
【図１】本発明の実施形態にかかる水中ポンプ装置の断面説明図である。
【図２】水中ポンプの据え付けや取り出し時の工程説明図である。
【図３】水中ポンプの据え付けや取り出し時の工程説明図である。
【図４】水中ポンプの据え付けや取り出し時の工程説明図である。
【図５】水中ポンプの据え付けや取り出し時の工程説明図である。
【図６】水中ポンプの据え付けや取り出し時の工程説明図である。
【符号の説明】
【００４６】
１  水中ポンプ装置
４  中空コラム
４ａ  上端部開口
５  水中ポンプ
７  コラム蓋
７ａ  孔部
８  吊下げチェーン
９  吊り棒
９ａ  雄ネジ部
９ｂ  雄ネジ部
９ｃ  細径軸部
１３  ナット部材
１４  保持ブラケット
【図１】
2009013920.tif 000003
【図２】
2009013920.tif 000004
【図３】
2009013920.tif 000005
【図４】
2009013920.tif 000006
【図５】
2009013920.tif 000007
【図６】
2009013920.tif 000008